(57)【要約】【課題】ワイヤーの巻き取りが整然としてだんご巻きとなることがないワイヤーの巻取構造を提供すること。【解決手段】ワイヤー３を巻き取る巻取ドラム２と該巻取ドラムに対置したガイドローラ５間に、フリー回転する菱形ローラ８を介装し、巻取ドラム２及びガイドローラ５の正逆回転に伴って前記菱形ローラ８の圧接を受けてワイヤー３の巻き取り・巻き戻しがなされる。【選択図】　　　　　図１
2004131279.tif 000002
【特許請求の範囲】
【請求項１】
ワイヤーを巻き取る巻取ドラムと、該巻取ドラムに対置したガイドローラ間に、フリー回転する菱形ローラを介装し、巻取ドラム及びガイドローラの正逆回転に伴って前記菱形ローラの圧接を受けてワイヤーの巻き取り・巻き戻しがなされるワイヤーの巻取構造。
【発明の詳細な説明】
【０００１】
【発明の属する技術分野】
本発明は、ワイヤーの巻取構造に関する。
【０００２】
【従来の技術】
各種装置におけるワイヤーの巻き取りは、駆動モーターの回転に伴う巻取ドラムによるが、ワイヤーの巻き取りが進むにつれ、巻取ドラムには巻き取られたワイヤーが幾重にも錯綜し、所謂だんご巻き状態となることが多い。しかしながらこのようなワイヤーの巻き取りの現状を打開する確実有効な手だては未だ施されていないのが実状である。
【０００３】
【発明が解決しようとする課題】
ワイヤーがだんご状に巻き取られると、駆動モーター等の回転機構にも影響してスムースな作動ができず、ひいては装置の運転にも支障をきたすおそれがある。しかしてワイヤーが正確に巻き取られないと、運転中にワイヤーの緩みや引っ張りが不測に生ずる誤作動の可能性があり、それによってワイヤーの負荷が増大して装置の一部に加熱を招いたり、ワイヤーと連繋した部材が障害物に当接するといった懸念もある。
【０００４】
本発明はこのような現状を解決するために、従来の装置を特に変えることなく実施できるワイヤー巻取構造に関するもので、その目的とするところは、巻取ドラムに巻き取られるワイヤーが順序よく整然と巻き取られ且つ巻き戻しがなされることで装置に連繋したワイヤーの作動が正確で運転に無駄がなく、加熱、異常音の発生等のおそれのないワイヤーの巻取構造を提供することを意図している。
【０００５】
【課題を解決するための手段】
すなわち本発明は、ワイヤー３を巻き取る巻取ドラム２と、該巻取ドラム２に対置したガイドローラ５間に、フリー回転する菱形ローラ８を介装し、巻取ドラム２及びガイドローラ５の正逆回転に伴って前記菱形ローラ８の圧接を受けてワイヤー３の巻き取り・巻き戻しがなされるワイヤーの巻取構造を主旨とする。
【０００６】
【発明の実施の形態】
図面は本発明を店舗等の天井に懸架した照明器具の吊下装置に実施した一例を示すもので、図１及び図２において１は吊下装置における駆動モーターで、ワイヤー３の巻き取り・巻き戻しをする巻取ドラム２を差動部４を介して正逆回転し、前記ワイヤー３が、巻取ドラム２の回転に伴って巻き戻されると照明器具が降下し、巻き取られると上昇するように構成してある。５は巻取ドラム２と同一線上に対置した幅狭のガイドローラで、ガイドローラ５を通って反転したワイヤー３が、吊下ガイドローラ６と送出制御ローラ７間を通って基板２０より垂下して照明器具側支持体２１を支架する。
【０００７】
８は巻取ドラム２とガイドローラ５の間に介装したフリー回転する菱形ローラで、中央の大径部８ａを境として左右がテーパ状に形成され平面菱形を構成する。ワイヤー３は、巻取ドラム２が正逆いずれの回転方向に作動しても、菱形ローラ８に接してこれを回転させ、また該菱形ローラ８の圧接を受けて張設される。したがって巻取ドラム２とガイドローラ５間のワイヤー３は菱形ローラ８の箇所で持ち上がる形となって巻き取り・巻き戻しされる。
【０００８】
１０は巻取ドラム２と同軸状に設けた駆動プーリーで、前記の送出制御ローラ７と同軸状にした伝達プーリー１１に、ベルト１２を介して連繋してある。巻取ドラム２の回転に連動して駆動プーリー１０が回転するとベルト１２を介して送出制御ローラ７が回転し、吊下ガイドローラ６をワイヤー３の送出に伴って回転するよりも速い速度で強制的に回転駆動し、逆に巻取ドラム２が照明器具の上昇時にワイヤー３を巻取方向に回転するときは、駆動プーリー１１を空転させてその回転力を送出制御ローラ７に伝達しないようにして吊下ガイドローラ６をワイヤー３の巻き取りに伴って回転するよりも遅い速度で回転させることができる。
【０００９】
ワイヤー３が巻き戻されて照明器具側支持体２１が下降し床上で照明器具の修理・交換等の作業が終了後その位置からワイヤー３が巻き取られ、再び高所に据え付けられるために照明器具側支持体２１が上昇することは従来の吊下装置と変わらないが、ワイヤー３が菱形ローラ８に接して巻き取られる機構は本発明独自の構成である。すなわち吊下ガイドローラ６及びガイドローラ５を通って巻き取られるワイヤー３は、まず菱形ローラ８の左右いずれかの端部寄りに位置し、巻き取られるにつれて中央寄りに移行する。中央の大径部８ａに至ったワイヤー３は反対側もテーパ状のため一気に小径の端部側に移行し、その後中央寄りに移行して大径部８ａに至ると再びテーパ状の元位置に向かって一気に移行することとなる。
【００１０】
しかして巻取ドラム２に巻き取られたワイヤー３は菱形ローラ８が案内となって端部から中央に向かって順次巻き取られて行く。端部から中央への移行は必ずしも規則的とは限らないが、巻取ドラム２の中央と幅狭のガイドローラ５の中央は同一線上にあるため、ワイヤー３は本来巻取ドラム２の中央に向かうところ、菱形ローラ８の傾斜面の影響を受けて該傾斜面の小径端部側に接し、それゆえ巻取ドラム２上のワイヤー３はガイドローラ５と菱形ローラ８を結ぶ同一線上に位置し、巻取ドラム２左右の鍔２ａのいずれか寄りに先ず巻き取られ、自然に中央方向へと移動する。
【００１１】
このようにワイヤー３は巻取ドラム２の中央寄りに向かおうとするので、菱形ローラ８上にあっても端部寄りから次第に中央へと移動するが、中央は大径部８ａでこの箇所は突出状のためワイヤー３は大径部８ａに至ると傾斜面に沿って滑降するように反対側の端部へと向かって移動する。このため巻取ドラム２の中央まで来たワイヤー３も他方の鍔２ａ寄りに移動し、その後菱形ローラ８の端部から再び大径部８ａに向かうと巻取ドラム２上のワイヤー３も中央部へと向かいつゝ巻き取られて行く。このような動作を繰り返すので巻取ドラム２にはワイヤー３がだんご巻き状となることがなく平均的な巻き取りがなされる。
【００１２】
ワイヤー３がスムースに巻き取られると、当然ながら巻き戻し時には何の支障もなく巻取ローラ２から出たワイヤー３が菱形ローラ８に接しつつ、ガイドローラ５に至ると反転して吊下ガイドローラ６に送られ、基板２０の下に位置する照明器具側支持体２１を下降する方向に伸び、それゆえ照明器具を、設置されている高所から床上に降ろすことができる。
【００１３】
上記の実施形態ではワイヤー３が菱形ローラ８の上側に接して巻き取られる構成を示したが、図３のように菱形ローラ８の下側の圧接を受けて巻き取り・巻き戻しがなされるようにしてもよい。なお上述した吊下装置は一例であり、本発明はワイヤーの巻き取りを要する装置全般に妥当するものであって、したがってガイドローラ５から直接ワイヤー３が垂下するなどの構成を採ることも本発明の自由な実施範囲に属する。
【００１４】
【発明の効果】
本発明によると巻取ローラとガイドローラの間に設けた菱形ローラが、ワイヤー巻き取りの際にフリー回転しつゝワイヤーを緊張し、且つ大径部左右のテーパ状斜面にて大径部を中心として左右に一定の方向性を与えてワイヤーを振り分け状に移動させるので、従来のようにだんご状に固まって巻き取られることがなく巻取ローラ上に平均的に巻き取られてゆく。したがってワイヤーの巻き取り・巻き戻しに誤作動がなく、徒にワイヤーへの負担がかゝることもなく、その動きがスムースで駆動モーターの回転に支障がなく、ワイヤーと連繋した装置の動きが正確で、例えば天井に設置した照明機器などの場合、その昇降操作に遺漏を生ずるおそれがない。
【００１５】
本発明は巻取ローラとガイドローラの間にフリー回転する菱形ローラを介装した頗るシンプルな構成で従来の装置にそのまゝ実施できるため費用がかゝらず、実施例の照明器具の吊り下げだけでなく牽引装置などあらゆるワイヤーの巻き取りに広く利用できる。
【図面の簡単な説明】
【図１】本発明を照明器具の吊下装置に実施した一例を示し、（ａ）は側面（ｂ）は平面から見た説明図である。
【図２】図１の吊下装置の一部の外観を示す説明図である。
【図３】ワイヤーの巻き取り例を示す他の説明図である。
【符号の説明】
１　　駆動モーター
２　　巻取ドラム
３　　ワイヤー
４　　差動部
５　　ガイドローラ
６　　吊下ガイドローラ
７　　送出制御ローラ
８　　菱形ローラ
８ａ　大径部
１０　駆動プーリー
１１　伝達プーリー
１２　ベルト
２０　基板
２１　照明器具側支持体
【図１】
2004131279.tif 000003
【図２】
2004131279.tif 000004
【図３】
2004131279.tif 000005